(57)【要約】本発明は、制御された環境１０４内に配置され、かつ、少なくとも１つの人工照明設備１０６によって放射される光にさらされる複数の植物１０２の位置に基づく管理方法に関する。本発明は、対応するモバイル電子装置１０８およびコンピュータプログラム製品にも関する。
2016540498.tif 000002
【特許請求の範囲】
【請求項１】
制御された環境（１０４）内の複数の植物（１０２）の生育を制御するように配置された人工照明設備（１０６）の位置に基づく管理方法であって、前記方法は、
ユーザが操作するモバイル電子装置（１０８）を用いて、前記制御された環境（１０４）内の前記モバイル電子装置（１０８）の位置を確定する（Ｓ２０１、Ｓ３０１）ステップと、
前記位置に基づいて以下のステップ：
前記モバイル電子装置（１０８）の前記位置に基づいて、前記人工照明設備（１０６）によって放射される光の少なくとも１つのパラメータを調節する（Ｓ２０２、Ｓ３０２）ステップ、および
前記モバイル電子装置（１０８）と、遠隔に配置された制御ユニット（１１０）との間で、前記モバイル電子装置（１０８）の前記位置の近傍に位置する前記複数の植物（１０２）のうちの少なくとも１つに関する情報をやり取りする（Ｓ２０２’）ステップ
のうちの少なくとも１つを実行するステップと、
を含む方法。
【請求項２】
前記人工照明設備（１０６）によって放射される光の前記少なくとも１つのパラメータを調節するステップが、前記モバイル電子装置（１０８）のユーザインタフェースを用いて提供される（Ｓ３０４）ユーザ入力にさらに基づく、請求項１に記載の方法。
【請求項３】
前記人工照明設備（１０６）によって放射される光の前記少なくとも１つのパラメータを調節するステップが、前記制御ユニット（１１０）によって、前記モバイル電子装置（１０８）の前記位置に基づいて自動的に実行される、請求項１に記載の方法。
【請求項４】
前記モバイル電子装置（１０８）の前記位置が、前記人工照明設備（１０６）によって放射される前記光に含まれる位置に基づく情報を受信することによって確定される、請求項１〜３のいずれか一項に記載の方法。
【請求項５】
前記モバイル電子装置（１０８）の前記位置に基づいて前記モバイル電子装置（１０８）のユーザインタフェースを調節するステップをさらに含む、請求項１に記載の方法。
【請求項６】
前記モバイル電子装置（１０８）を用いて、前記植物の前記近傍に配置された少なくとも１つのセンサから情報を得る（Ｓ３０２’’）ステップと、
前記遠隔の制御ユニット（１１０）に前記得られた情報を提供する（Ｓ３０３）ステップと、
をさらに含む、請求項１〜５のいずれか一項に記載の方法。
【請求項７】
制御された環境（１０４）内の複数の植物（１０２）の生育を制御するように配置された人工照明設備（１０６）の位置に基づく管理のためのモバイル電子装置（１０８）であって、前記モバイル電子装置（１０８）は、
前記制御された環境（１０４）内の前記モバイル電子装置（１０８）の位置を確定する（Ｓ２０１、Ｓ３０１）ように構成された制御回路であって、前記位置に基づいて以下のステップ：
前記モバイル電子装置（１０８）の位置に基づいて、前記人工照明設備（１０６）によって放射される光の少なくとも１つのパラメータを調節するステップ、および
前記モバイル電子装置（１０８）と、遠隔の制御ユニット（１１０）との間で、前記複数の植物（１０２）のうちの少なくとも１つであって、前記モバイル電子装置（１０８）の前記位置の近傍に配置された少なくとも１つの植物（１０２）に関する情報をやり取りする（Ｓ２０２’）ステップ、
のうちの少なくとも１つを実行するように構成された制御回路を備える、モバイル電子装置（１０８）。
【請求項８】
前記制御回路が、前記モバイル電子装置（１０８）のユーザインタフェースを用いて前記人工照明設備（１０６）によって放射される光の前記少なくとも１つのパラメータを調節するためのユーザ入力を行う（Ｓ３０４）ようにさらに構成されている、請求項７に記載のモバイル電子装置（１０８）。
【請求項９】
前記制御回路が、前記人工照明設備（１０６）によって放射される前記光に含まれる位置に基づく情報を受信することによって、前記モバイル電子装置（１０８）の前記位置を確定するようにさらに構成されている、請求項７に記載のモバイル電子装置（１０８）。
【請求項１０】
前記制御回路が、前記モバイル電子装置（１０８）の前記位置に基づいて、前記モバイル電子装置（１０８）のユーザインタフェースを調節する（Ｓ３０２’）ようにさらに構成されている、請求項７に記載のモバイル電子装置（１０８）。
【請求項１１】
前記植物（１０２）の前記近傍に配置された少なくとも１つのセンサから情報を得る（Ｓ３０２’’）ための通信手段をさらに備え、前記制御回路が、前記遠隔の制御ユニット（１１０）に前記情報を提供する（Ｓ３０３）ようにさらに構成されている、請求項７に記載のモバイル電子装置（１０８）。
【請求項１２】
制御された環境（１０４）内の複数の植物（１０２）の生育を制御するように配置された人工照明設備（１０６）の位置に基づく管理のためのシステムであって、前記システムは、
請求項７〜１１のいずれか一項に記載のモバイル電子装置（１０８）と、
前記人工照明設備（１０６）と、
遠隔に配置された制御ユニット（１１０）と、
を備えるシステム。
【請求項１３】
前記植物（１０２）の近傍に配置された少なくとも１つのセンサをさらに備え、前記モバイル電子装置（１０８）が、
前記少なくとも１つのセンサから情報を得る（Ｓ３０２’’）ステップ、および
前記得られた情報を前記遠隔の制御ユニット（１１０）に提供する（Ｓ３０３）ステップ、
を実行するように構成されている、請求項１２に記載のシステム。
【請求項１４】
前記センサが、無線通信を通じて前記モバイル電子装置（１０８）に情報を伝達するように構成されている、請求項１３に記載のシステム。
【請求項１５】
制御された環境（１０４）内に配置され、かつ、少なくとも１つの人工照明設備（１０６）によって放射される光にさらされる複数の植物（１０２）の位置に基づく管理を行うようにされたモバイル電子装置（１０８）を備えるシステム用のコンピュータプログラム手段を記憶したコンピュータ可読媒体を備えるコンピュータプログラム製品であって、前記コンピュータプログラム製品は、
前記制御された環境（１０４）内の前記モバイル電子装置（１０８）の位置を確定する（Ｓ２０１、Ｓ３０１）ためのコードであって、前記位置に基づいて以下のステップ：
前記モバイル電子装置（１０８）の位置に基づいて、前記人工照明設備（１０６）によって放射される光の少なくとも１つのパラメータを調節する（Ｓ２０２、Ｓ３０２）ステップ、および
前記モバイル電子装置（１０８）と、遠隔の制御ユニット（１１０）との間で、前記複数の植物（１０２）のうちの少なくとも１つであって、前記モバイル電子装置（１０８）の前記位置の近傍に配置された少なくとも１つの植物に関する情報をやり取りする（Ｓ２０２’）ステップ、
のうちの少なくとも１つを実行するためのコード
を備えるコンピュータプログラム製品。
【発明の詳細な説明】
【技術分野】
【０００１】
本発明は、制御された環境内の複数の植物の生育を制御するように配置された人工照明設備の位置に基づく管理方法に関する。本発明は、対応するモバイル電子装置およびコンピュータプログラム製品にも関する。
【背景技術】
【０００２】
例えば温室内の人工照明および補助照明は、通常植物の生育を促進するための照射システムの使用を伴い、照射システムは複数の高出力光源を備えている。ハロゲン化金属（ＭＨ：ｍｅｔａｌ  ｈａｌｉｄｅ）に基づく光源、または高圧ナトリウム（ＨＰＳ：ｈｉｇｈ  ｐｒｅｓｓｕｒｅ  ｓｏｄｉｕｍ）を含む高輝度放電（ＨＩＤ：ｈｉｇｈ  ｉｎｔｅｎｓｉｔｙ  ｄｉｓｃｈａｒｇｅ）に基づく光源などの、様々な光スペクトルを有し、生育促進に様々な影響を与える様々な種類の光源が含まれ得る。ハロゲン化金属に基づく照明を使用すると、通常、背丈の低い草むら状に生育が促進されるのに対し、高圧ナトリウムに基づく照明はそれに比べて通常、背丈が高く伸びた植物を生育させる傾向がある。
【０００３】
近年、発光ダイオード（ＬＥＤ）の明るさの増大においてかなりの進展がみられている。その結果、ＬＥＤは、例えば温室環境内の人工照明としても機能するのに十分に明るく、かつ安価となり、加えて、調節可能な光スペクトルで光を放射することが可能になっている。異なる色のＬＥＤを混合して、個々の強度を調節することにより、所望の光スペクトルを得ることができる。調節可能な照明システムは、通常いくつかの原色、一例では３原色である赤、緑、および青から構成される。生成される光の光スペクトルは、使用されるＬＥＤの色、ならびに様々な色のＬＥＤからの光の強度の混合比によって決まる。したがって、放射光全体の光スペクトルが好都合に調節され得るように、ＬＥＤに基づく照射システムの各ＬＥＤを個々に制御することができる。さらに、ＬＥＤを使用することにより、現在の環境的なトレンドに沿った要件である、エネルギー消費の削減が可能となる。加えて、ＬＥＤに基づく照射システムを使用することで光源が発する熱量が最小限に抑えられ、これは温度調節が望ましい環境内ではとりわけ適している。プロセッサに通信可能に結合されている光センサを備えるＬＥＤに基づく照射システムの一例が、（特許文献１）中に開示されており、プロセッサは、照射システムによって放射される光スペクトルを調節することによって植物の生育および特質を調整し、かつ改善するための制御アルゴリズムを実施する。
【先行技術文献】
【特許文献】
【０００４】
【特許文献１】国際公開第２００８１１８０８０号パンフレット
【発明の概要】
【発明が解決しようとする課題】
【０００５】
特許文献１は、温室環境内の人工照明に関する有望なアプローチを示すが、植物の生育過程を改善できるようにするために、具体的には、光の処理、ならびに例えば、植物の生育状況または他の植物に関連する性質および／もしくは植物の近傍の条件に関するデータ処理を改善するために、照射システムによって放射される人工光をさらに最適化することがなお望ましい。
【課題を解決するための手段】
【０００６】
本発明の第１の態様によれば、制御された環境内の複数の植物の生育を制御するように配置された人工照明設備の位置に基づく管理方法であって、ユーザが操作するモバイル電子装置を用いて、制御された環境内のモバイル電子装置の位置を確定するステップと、１）モバイル電子装置の位置に基づいて、人工照明設備によって放射される光の少なくとも１つのパラメータを調節するステップ、および２）モバイル電子装置と、遠隔に配置された制御ユニットとの間で、複数の植物のうちの少なくとも１つであって、モバイル電子装置の位置の近傍に配置された少なくとも１つの植物に関する情報をやり取りするステップのうちの少なくとも１つとを含む方法によって、上記課題は少なくとも部分的に軽減される。
【０００７】
本発明に従えば、「制御された環境」という表現は、例えば、温室、生育キャビネット、あるいは植物が少なくとも自然光の照射にさらされ得る、同様の制御された生育環境を含めて広範に解釈すべきである。制御された環境は、したがって通常、透過窓、あるいは植物が（太陽からの自然光のような）外部光を受光することが可能な類似物を備える、「屋内環境」である。
【０００８】
本発明によれば、モバイル装置、典型的には携帯型装置の位置が確定される。位置が確定されれば、次の２つの動作のうちの少なくとも１つが行われる。
１）位置に基づいて光を調節する（これは「作業者にとって良好な光」、例えば、植物（例えば真菌類、糸状菌など）の特定の条件、写真撮影に良好な光などを見つけるための特定の光を含んでいてもよい）。
【０００９】
２）モバイル装置と、遠隔に設置された制御ユニット（サーバ／データベースであってもよい）との間で情報をやり取り（すなわちダウンロード／アップロード）する。
人工照明設備によって放射される光の少なくとも１つのパラメータの調節には、ユーザが操作するモバイル電子装置の位置が確定されると直ちに、照明設備によって放射される光のあらゆる紫外線成分を自動的に減らすことが含まれてもよい。このような紫外線は、温室の職員の健康に有害であるおそれがある。このため本発明は、職員にとっての作業条件を改善する効果的な方法を提供する。一例として、モバイル電子装置は、例えばＷ−ＬＡＮを介して、制御ユニットに現在位置などの情報を伝達して、スイッチをオフに切り換えたり、大量の紫外線にさらされることから職員を守るために温室の該当する領域の紫外線成分を調節したりするなどの動作を実行してもよい。
【００１０】
情報のやり取りには、例えば、植物についての情報をモバイル装置に送ったり、または逆に、例えば、植物の写真を制御ユニットに送信したりすることが含まれてもよい。さらに、植物に関する情報は、植物の周囲の気候についての情報、例えば周囲の湿度、温度、二酸化炭素（ＣＯ２）レベルなどであってもよい。制御された環境から距離をおいて制御ユニットを設置して、適切なデータ通信によって通信してもよい。
【００１１】
したがって、本発明にともなう利点には、データベース中の植物に関する情報にアクセスしながら、人にやさしい管理モードに光を自動的に調節可能であることが含まれ、ログ記録または職員の考慮の対照となる特記事項、植物から得られた測定値または写真がある場合には、情報がモバイル電子装置からデータベースに自動的にファイルされることになる。さらに、データベースに記憶された情報には、記憶された情報と、制御された環境内の位置とを関連付ける、対応する位置データが自動的に提供される。位置データは、例えば、制御された環境内の特定の植物の所在位置に関連し得る。
【００１２】
本発明の一実施形態によれば、人工照明設備によって放射される光の少なくとも１つのパラメータを調節するステップが、モバイル電子装置のユーザインタフェースを用いて提供されるユーザ入力にさらに基づいていてもよい。ユーザ入力を用いることにより、植物の近傍でユーザの位置が特定されると、「ユーザ知識」に基づく人工光のパラメータのさらなる制御が可能になる。このような入力には、「管理者モード」、「作業者モード」、あるいは植物の近傍に放射されている光を制御する任意の他のモードを設定することが含まれてもよい。
【００１３】
モバイル装置の現在位置の確定は、（例えば、ＧＰＳ、もしくは類似した方法などの）連続した方法によって、またはランプによって伝達された情報を用いてモバイル電子装置が位置を確定し得るように、職員がランプと植物との間でモバイル電子装置を保持することによって実現されてもよい。
【００１４】
本発明の一実施形態によれば、人工照明設備によって放射される光の少なくとも１つのパラメータを調節するステップが、制御ユニットによって、モバイル電子装置の位置に基づいて自動的に実行される。このような自動調節は、人工照明設備が、特に職員の作業条件に関係する調節に関して確実に正しく動作するようにするための有効な方法となり得る。さらに、人工照明設備によって放射される光は、（例えば、「検査モード」または「測定モード」の間に）職員がその位置で行う特定のタスクに基づいて、自動的に調節されてもよい。例えば、様々な測定機会において類似した条件で植物に関する測定が確実に行われるようにするためである。
【００１５】
本発明の一実施形態によれば、モバイル電子装置の位置が、人工照明設備によって放射される光に含まれる位置に基づく情報を受信することによって確定されてもよい。人工光の中で情報を重ね合せることは、（例えば米国特許出願公開第２０１３／００２９６８２号明細書により開示されているように）当技術分野では公知であり、ヘリオスペクトラ（Ｈｅｌｉｏｓｐｅｃｔｒａ）社の照明設備において有利に実施されてモバイル電子装置の位置の確定を容易にし得る。さらに、位置に基づく情報には、例えば現在位置において適用されている光レジーム（ｌｉｇｈｔ  ｒｅｇｉｍｅ）など、現在の光の設定に関する情報が含まれてもよい。光スペクトルのシーケンスまたは光スペクトルの経時的な変化は、ある種の「光レジーム」と呼ぶことができる。
【００１６】
本発明の一実施形態によれば、方法が、モバイル電子装置の位置に基づいてモバイル電子装置のユーザインタフェースを調節するステップをさらに含んでもよい。このようにすることで、例えば、植物の写真の撮影、植物の「プラント状態」関連情報の収集などを含む当面のタスクに適するように、モバイル装置のユーザインタフェースを自動的に適合させることを可能にし得る。
【００１７】
本発明の一実施形態によれば、方法が、モバイル電子装置を用いて、植物の近傍に配置された少なくとも１つのセンサから情報を得るステップと、遠隔の制御ユニットに得られた情報を提供するステップとをさらに含んでいてもよい。これにより「局所的なセンサ」とモバイル装置との間でＮＣＦ（短距離無線通信）が可能になる。すなわち、モバイル装置はＮＦＣのための手段を装備してもよく、また、局所的に配置されたセンサを装備していてもよい。局所的に配置されたセンサは、（例えば、空気および／または土壌の）湿度、様々な肥料のレベル、二酸化炭素（ＣＯ２）レベルなどを測定し得る。したがって、情報は、センサによって測定される、（例えば、空気および／または土壌の）湿度、様々な肥料のレベル、二酸化炭素（ＣＯ２）レベルなどに関連付けることができる。
【００１８】
本発明の第２の態様によれば、制御された環境内の複数の植物の生育を制御するように配置された人工照明設備の位置に基づく管理のためのモバイル電子装置であって、制御された環境内のモバイル電子装置の位置を確定するように構成された制御回路を備えるモバイル電子装置が提供される。この制御回路は、１）モバイル電子装置の位置に基づいて、人工照明設備によって放射される光の少なくとも１つのパラメータを調節するステップ、および２）モバイル電子装置と、遠隔の制御ユニットとの間で、複数の植物のうちの少なくとも１つであって、モバイル電子装置の位置の近傍に配置された少なくとも１つの植物に関する情報をやり取りするステップのうちの１つを実行するように構成されている。本発明のこの態様は、本発明の先の態様に関連して上記で議論したものと同様の利点をもたらす。
【００１９】
制御回路は、モバイル電子装置のユーザインタフェースを用いて人工照明設備によって放射される光の少なくとも１つのパラメータを調節するためのユーザ入力を行うように構成されていてもよい。このような解決策により、さらに用途が広がり、ユーザが人工照明設備と効率的にやり取りすることが可能になる。例えば、職員が、制御された環境内のある位置において以前に検査された植物を見つけやすくするために、職員はその植物に関する情報を指し示すユーザインタフェースを用いて入力を行ってもよい。植物に関する情報がモバイル電子装置に標示されると、その植物の位置における光の少なくとも１つのパラメータが調節され、職員は制御された環境内の植物の位置を容易に見つけることができるようになる。例えば、その位置が明るくなるように、その位置で放射光の強度が高められたり、その位置で放射光の色が変えられたり、あるいはその位置で光が点滅してもよい。職員が近づき、その位置の近傍に来ると、光は以前の設定に戻る。換言すれば、点滅が停止するか、色が変わるか、または元に戻る。
【００２０】
制御回路は、モバイル電子装置の位置に基づいて、人工照明設備によって放射される光の少なくとも１つのパラメータを自動的に調節するようにさらに構成されていてもよい。このような自動調節は、人工照明設備が、特に職員の作業条件に関係する調節に関して確実に動作するようにするための有効な方法となり得る。さらに、人工照明設備によって放射される光は、（例えば、「検査モード」または「測定モード」の間に）職員がその位置で行う特定のタスクに基づいて、自動的に調節されてもよい。例えば、様々な測定機会において類似した条件で植物に関する測定が確実に行われるようにするためである。さらに、人工照明設備が確実に正しく動作するようにするために、制御回路は、実際の出力光スペクトルが所望の出力光スペクトルに近づくように、人工照明設備を較正してもよい。さらに、動作不良を起こしている人工照明設備の構成部品、例えば破壊された発光ダイオードなどを見つけるために、制御ユニットは、人工照明設備の故障を発見、修理することができる。制御ユニットはさらに、例えば、人工照明設備によって放射される光の少なくとも１つのパラメータを調節する際など、制御作業を実行する際に、制御ネットワークを通じて通信の遅れを補うことができる。
【００２１】
本発明の一実施形態によれば、制御回路が、モバイル電子装置の位置に基づいて、モバイル電子装置のユーザインタフェースを調節するようにさらに構成されていてもよい。
本発明の一実施形態によれば、モバイル電子装置が、植物の近傍に配置された少なくとも１つのセンサから情報を得るための通信手段をさらに備えてもよく、制御回路は、遠隔の制御ユニットに情報を提供するようにさらに構成されている。
【００２２】
モバイル電子装置は、例えば植物の写真を得るためのカメラ装置を備えるとさらに有利な場合がある。制御された環境内のある位置で得られた写真が、その写真と位置とを関連付ける位置データとともに保存される。写真は、その写真と写真が得られた時刻および日付とを関連付ける時刻データと一緒にさらに保存される。さらに、複数の写真を得る際には、照明設備によって放射される光は、同じであるように調節されてもよい。換言すれば、第２の写真における光の設定は、第１の写真における光の設定と同じであるように調節されてもよい。
【００２３】
本発明のこの第２の態様のさらなる効果および特徴は、本発明の第１の態様に関連して上記で説明したものと大部分は同様である。
本発明の第３の態様によれば、制御された環境内に配置され、かつ、少なくとも１つの人工照明設備によって放射される光にさらされる複数の植物の位置に基づく管理のためのシステムであって、先の態様によるモバイル電子装置と、人工照明設備と、遠隔に配置された制御ユニットとを備えるシステムが提供される。本発明のこの態様は、本発明の先の態様に関連して上記で議論したものと同様の利点をもたらす。
【００２４】
本発明の一実施形態によれば、システムが、植物の近傍に配置された少なくとも１つのセンサをさらに備えていてもよく、モバイル電子装置は、前記センサのうちの少なくとも１つから情報を得るステップ、および得られた情報を遠隔の制御ユニットに提供するステップを実行するように構成されている。
【００２５】
本発明の一実施形態によれば、センサが、無線通信を通じてモバイル電子装置に情報を伝達するように構成されていてもよい。これは、センサとモバイル装置との間のＮＣＦ（短距離無線通信）であってもよい。すなわち、モバイル装置はＮＦＣのための手段を装備していてもよく、また、局所的に配置されたセンサを装備していてもよい。局所的に配置されたセンサは、（例えば、空気および／または土壌の）湿度、様々な肥料のレベル、二酸化炭素（ＣＯ２）レベルなどを測定し得る。
【００２６】
本発明のこの第３の態様のさらなる効果および特徴は、本発明の先の態様に関連して上記で説明したものと大部分は同様である。
制御ユニットは、マイクロプロセッサまたは任意の他の種類のコンピュータを使用する装置であることが好ましい。同様に、コンピュータ可読媒体は、脱着可能な不揮発性ランダムアクセスメモリ、ハードディスクドライブ、フロッピー（登録商標）ディスク、ＣＤ−ＲＯＭ、ＤＶＤ−ＲＯＭ、ＵＳＢメモリ、ＳＤメモリカード、または当技術分野で公知の同様のコンピュータ可読媒体のうちの１つを含む任意の種類のメモリ装置とすることができる。
【００２７】
本発明の第４の態様によれば、複数の植物の位置に基づく管理のためのシステム用のコンピュータプログラム手段を記憶したコンピュータ可読媒体を備えるコンピュータプログラム製品であって、本発明の方法のステップを実行するためのコードを備えるコンピュータプログラム製品が提供される。本発明のこの態様もまた、本発明の先の態様に関連して上記で議論したものと同様の利点をもたらす。
【００２８】
本発明のこの第４の態様のさらなる効果および特徴は、本発明の先の態様に関連して上記で説明したものと大部分は同様である。
添付の特許請求の範囲および以下の説明を検討すれば本発明のさらなる特徴および利点が明らかになる。当業者は、本発明の範囲から逸脱することなく、本発明の様々な特徴を組み合わせて以下に記載する実施形態以外の実施形態をもたらし得ることが理解されよう。
【００２９】
以下の詳細な説明および添付図面から、本発明の特定の特徴および利点を含む本発明の様々な態様が容易に理解される。
【図面の簡単な説明】
【００３０】
【図１】本発明の一実施形態による例示的なシステムを示す。
【図２】本発明の一実施形態による方法ステップのフローチャートを示す。
【図３】本発明の一実施形態による方法ステップのフローチャートを示す。
【発明を実施するための形態】
【００３１】
次に添付図面を参照して本発明を以下でより詳細に説明する。添付図面には、本発明の現在の好適な実施形態が示されている。ただし、本発明は多くの異なる形態で具体化することができ、本明細書に記載の実施形態に限定されると見なすべきではなく、むしろこれらの実施形態は徹底および完全性のために与えられており、本発明の範囲を当業者に完全に伝えるものである。全体を通して同様の参照文字は同様の要素を指す。
【００３２】
次に図面、具体的には図１を参照すると、本発明の可能な一実施形態によるシステム１００が描かれている。図１には、温室１０４のような少なくとも部分的に制御された環境内に配置された、複数の植物１０２が図示されている。図１には、発光ダイオードと、モバイル電子装置１０８と、制御ユニット１１０と、複数のセンサ１１２とを備える人工照明設備１０６がさらに示されている。モバイル電子装置１０８は、照明設備１０６によって放射される光から位置情報を受信することによってモバイル電子装置１０８の位置を確定するように構成された制御回路を備える。位置に基づく情報は、例えば、どの植物１０２にモバイル電子装置１０８が位置しているのかに関する情報、および／または例えば、植物の周囲の気候、例えば周囲の湿度、温度、二酸化炭素（ＣＯ２）レベルなどに関する情報であってもよい。モバイル電子装置１０８は、照明設備１０６によって放射される光の少なくとも１つのパラメータを調節するようにさらに構成されている。このようなパラメータは、例えば、光の強度、分光組成などであってもよい。調節は、例えば作業者にとって良好な作業条件、写真撮影に良好な照明、または任意の他の放射光の設定についてであってもよい。例えば、放射光の紫外線成分を減らすことにより、高レベルの紫外線にさらされないようにすることで、職員を高レベルの紫外線から保護する。調節は、モバイル電子装置１０８のユーザインタフェースから行われてもよい。さらに、例えば、良好な作業条件についての調節は、制御ユニット１１０によって、確定されたモバイル電子装置１０８の位置に基づいて自動的に実行されてもよい。なおも図１を参照すると、植物１０２の近傍にセンサ１１２が配置されていてもよい。センサ１１２は、（例えば、空気および／または土壌の）湿度、様々な肥料のレベルを測定するためのセンサ、ＣＯ２センサなど、あるいはこれらの組み合わせであってもよい。システム１００のモバイル電子装置１０８は、特定の植物１０２の近傍のセンサ１１２から情報を得て、その情報を制御ユニット１１０に提供するように構成されている。センサ１１２とモバイル電子装置１０８との間の通信は、例えばＮＦＣ、ＷｉＦｉ（登録商標）、ブルートゥース（Ｂｌｕｅｔｏｏｔｈ（登録商標））などの無線通信を通じて行われてもよい。モバイル電子装置１０８、照明設備１０６、および制御ユニット１１０間の通信は、アプリケーションに適した任意の通信手段、例えばＷｉＦｉ（登録商標）、Ｗ−ＬＡＮ、ブルートゥース（登録商標）、ＧＰＳなどを通じて行われてもよい。モバイル電子装置１０８の位置は、様々な技法、（例えば、米国特許出願公開第２０１３／００２９６８２号明細書によって開示されているような）バイトライト（Ｂｙｔｅｌｉｇｈｔ（登録商標））関連技術、ＷｉＦｉ（登録商標）、ブルートゥース（登録商標）４、植物を走査するバーコードなどの技法によって、さらに確定されてもよい。バイトライト技術を使用する場合、人工照明設備１０６は、位置および／または機能に応じてコードで表示される。例えば、特定のコードは、１つの人工照明設備１０６、複数の人工照明設備１０６、バイトライトコードを送信しない複数の人工照明設備１０６の中の、個々の人工照明設備、植物支持台の縁部付近の人工照明設備１０６、センサ１１２付近の人工照明設備１０６、制御された環境１０４の出口／入口付近の人工照明設備１０６などに関するものであってもよい。
【００３３】
さらに、ある位置での植物１０２に関する情報は、センサ１１２から制御ユニット１１０に直接提供されてもよい。制御ユニット１１０は、どのセンサ１１２が特定の植物１０２の付近にあるかを常時監視し、かつ、センサによって得られた測定データを記憶するように構成されている。制御ユニット１１０はさらに、人工照明設備１０６のそれぞれの位置および／またはバイトライトコードを常時監視する。このように、ユーザは、ある位置において特定のセンサ１１２から得られた情報を、制御ユニット１１０から直接得ることができる。
【００３４】
図２は、本発明の一実施形態による方法ステップのフローチャートを示す。第１のステップＳ２０１では、ユーザが操作するモバイル電子装置１０８を用いて、モバイル電子装置１０８の位置が確定される。モバイル電子装置１０８の所在位置を確定した後に、２つのステップのうちの１つのステップが続くか、または状況によっては両方のステップが続くことになる。後続のステップＳ２０２では、照明設備１０６によって放射される光の、少なくとも１つのパラメータが調節される。この調節には、「作業者にとって良好な光」、すなわち、例えば、植物１０２（例えば真菌類、糸状菌など）の特定の条件、写真撮影に良好な光などを見つけるための特定の光が含まれてもよい。例えば、「作業者にとって良好な光」には、放射光の紫外線成分を減らすことにより、高レベルの紫外線にさらされないようにすることで、職員を高レベルの紫外線から保護することが含まれてもよい。これに代わり、またはこれに加えて、後続のステップＳ２０２’は、モバイル電子装置１０８と、制御ユニット１１０との間で情報をやり取りするステップである。やり取りされる情報は、モバイル電子装置１０８の近傍に配置された植物１０２のうちの少なくとも１つに関する。さらに、植物に関する情報は、植物の周囲の気候についての情報、例えば周囲の湿度、温度、二酸化炭素（ＣＯ２）レベルなどであってもよい。
【００３５】
図３は、本発明の第２の実施形態による方法ステップのフローチャートを示す。第１のステップＳ３０１では、モバイル電子装置１０８の位置が確定される。この位置は、ステップＳ３０１において、モバイル電子装置１０８が照明設備１０６によって放射される光から位置情報を受信することにより確定される。第１の後続のステップＳ３０２として、照明設備１０６によって放射される光は、図２を参照して説明したように、モバイル電子装置１０８の位置に応じて調節される。光の調節は、制御ユニット１１０によって自動的に制御されてもよい。例えば、紫外線成分は、制御ユニット１１０によって、職員がモバイル電子装置１０８とともに温室１０４内を動き回る際に、モバイル電子装置１０８の確定された位置で自動的に調節されてもよい。さらに、ステップＳ３０２’では、位置に基づいて、モバイル電子装置１０８のユーザインタフェースを調節してもよい。これにより、例えば、ある種のタスクを行うようにユーザインタフェースを自動的に適合させることを可能にし得る。このようなタスクは、植物１０２の写真を撮影することであってもよく、ステップＳ３０２’’において植物についての情報を得ることであってもよい。後続のステップＳ３０４では、照明設備１０６によって放射される光は、ユーザインタフェースからのユーザ入力に基づいて調節されてもよい。ステップＳ３０１において位置情報を受信した後に、モバイル電子装置１０８は、ステップＳ３０２’’において、植物１０２の近傍に配置された少なくとも１つのセンサ１１２から情報を得てもよい。このような情報は、（例えば、空気および／または土壌の）湿度のレベル、様々な肥料のレベル、ＣＯ２レベルなどであってもよい。次のステップＳ３０３では、情報が、制御ユニット１１０に提供される。
【００３６】
本開示は、様々な動作を遂行するための方法、システム、および任意の機械可読媒体上のプログラム製品を考慮している。本開示の実施形態は、既存のコンピュータプロセッサを使用して、この目的または別の目的のために組み込まれる適切なシステム用の専用コンピュータプロセッサによって、またはハードワイヤードシステムによって実施することができる。本開示の範囲に含まれる実施形態は、記憶された機械実行可能命令またはデータ構造を運ぶか、もしくは有するための機械可読媒体を備える、プログラム製品を含む。このような機械可読媒体は、汎用コンピュータ、専用コンピュータ、またはプロセッサを有する他の機械によってアクセス可能な使用できる任意の媒体とすることができる。例として、このような機械可読媒体には、ＲＡＭ、ＲＯＭ、ＥＰＲＯＭ、ＥＥＰＲＯＭ、ＣＤ−ＲＯＭ、あるいは他の光ディスク記憶装置、磁気ディスク記憶装置、または他の磁気記憶装置、または所望のプログラムコードを機械実行可能命令またはデータ構造形式で運びもしくは記憶するために使用可能であり、汎用コンピュータ、専用コンピュータ、またはプロセッサを有する他の機械によってアクセス可能な任意の他の媒体が含まれ得る。情報がネットワークまたは別の（ハードワイヤード、無線、もしくはハードワイヤードまたは無線の組合せのいずれかの）通信接続を介して機械に伝達されるか、または提供される場合、その機械は接続を機械可読媒体と適切に見なす。したがって、このようなあらゆる接続を機械可読媒体と適切に呼ぶ。上記の組合せもまた、機械可読媒体の範囲に含まれる。機械実行可能命令は、例えば汎用コンピュータ、専用コンピュータ、または専用処理機械に、ある種の機能もしくは機能群を実行させる命令およびデータを含む。
【００３７】
図面では方法ステップの特定の順序を示している場合があるが、ステップの順序は図示したものと異なっていてもよい。また、同時にまたは部分的に同時に２つ以上のステップを実行してもよい。このような改変形態は、選択されるソフトウェアシステムおよびハードウェアシステムならびに設計者の選択次第である。このような改変形態はすべて、本開示の範囲内にある。同様に、ソフトウェアの実装形態も、様々な接続ステップ、処理ステップ、比較ステップ、および確定ステップを遂行するためのルールベースロジックおよび他のロジックをともなう標準的なプログラミング技法で実現することが可能であろう。さらに、本発明を特定の例示的実施形態に関して説明してきたが、多くの異なる変更形態、修正形態等が当業者に明らかになる。図面、本開示、および添付の特許請求の範囲を検討することにより、開示した実施形態に対する改変形態が、特許請求の範囲に記載の本発明を実践する際に当業者によって理解され、行われ得る。さらに、特許請求の範囲では、「含む（ｃｏｍｐｒｉｓｉｎｇ）」という語は他の要素またはステップを除外せず、不定冠詞「１つの（ａ）」または「１つの（ａｎ）」は複数形を除外しない。
【図１】
2016540498.tif 000003
【図２】
2016540498.tif 000004
【図３】
2016540498.tif 000005
【国際調査報告】
2016540498.tif 000006
2016540498.tif 000007
2016540498.tif 000008